(57)【要約】【課題】簡便な操作により、ユーザの望まない画像の位置情報が表示されるのを防止できる携帯端末装置を提供する。【解決手段】携帯電話機は、カメラモジュール１１と、カメラモジュール１１で撮影した画像データを記憶するメモリ２００と、位置情報を取得するＧＰＳモジュール３０２と、位置情報を画像データに対応させてメモリ２００へ記憶させる撮像制御部１０１とを備える。ここで、撮像制御部１０１は、位置情報が予め登録された除外エリア内である場合、当該位置情報を画像データに対応させて記憶させない。【選択図】図２
2011049899.tif 000002
【特許請求の範囲】
【請求項１】
携帯端末装置において、
撮像部と、
前記撮像部から取得した画像データを記憶する記憶部と、
位置情報を取得する位置取得部と、
予め設定された除外情報に基づいて、前記画像データに基づく画像と、当該画像の位置情報とを関連付けた表示を禁止するための表示禁止部と、
を有することを特徴とする携帯端末装置。
【請求項２】
請求項１に記載の携帯端末装置において、
前記表示禁止部は、前記除外情報に基づいて、前記位置情報を前記画像データに対応させて記憶させるか否かを決定する、
ことを特徴とする携帯端末装置。
【請求項３】
請求項２に記載の携帯端末装置において、
前記徐外情報は、前記位置情報の除外範囲を規定する情報を含み、
前記表示禁止部は、前記位置情報が前記除外範囲内である場合、当該位置情報を前記画像データに対応させて記憶させない、
ことを特徴とする携帯端末装置。
【請求項４】
請求項３に記載の携帯端末装置において、
前記表示禁止部は、前記位置情報が前記除外範囲内である場合、当該位置情報に代えて、前記除外範囲外の所定位置を示す代替位置情報を前記画像データに対応させて記憶させる、
ことを特徴とする携帯端末装置。
【請求項５】
請求項２ないし４の何れか一項に記載の携帯端末装置において、
前記除外情報は、除外時間帯を規定する情報を含み、
前記表示禁止部は、前記除外時間帯である場合には、前記位置情報を前記画像データに対応させて記憶させない、
ことを特徴とする携帯端末装置。
【請求項６】
請求項１ないし５の何れか一項に記載の携帯端末装置において、
外部操作に基づいて前記除外情報を設定する設定処理部を備えた、
ことを特徴とする携帯端末装置。
【請求項７】
請求項２ないし５の何れか一項に記載の携帯端末装置において、
報知部を備え、
前記表示禁止部は、
前記除外情報に基づいて前記位置情報を前記画像データに対応させて記憶させないと決定した場合、その旨を前記報知部に報知させるとともに、
当該報知に基づいて、前記位置情報の記憶を許可する操作がなされると、前記位置情報を前記画像データに対応させて記憶させる、
ことを特徴とする携帯端末装置。
【発明の詳細な説明】
【技術分野】
【０００１】
本発明は、携帯電話機やＰＤＡ（Personal Digital Assistant）等の携帯端末装置に関するものである。
【背景技術】
【０００２】
近年、ＧＰＳ（Global Positioning System）機能を搭載したカメラ付きの携帯電話機が商品化されている。かかる携帯電話機では、カメラで撮影された画像データに、ＧＰＳにより測位した、緯度、経度等の地理的な位置情報を付加してメモリ（たとえば、メモリカード等）に記憶することができる。
【０００３】
この場合、写真を撮影する度に、ＧＰＳにて測位を行うための操作が必要になると、使い勝手が悪くなる。そこで、かかる携帯電話機では、写真が撮影されると自動的に位置情報が測位され、画像データに付加されるような構成が取られ得る（たとえば、特許文献１参照）。
【先行技術文献】
【特許文献】
【０００４】
【特許文献１】特開２００８−２０５７５５号公報
【発明の概要】
【発明が解決しようとする課題】
【０００５】
ところで、位置情報が付加された画像データは、ユーザのホームページ等、ウェブサーバ上にアップロードされ得る。この場合、所定のアプリケーションソフトを用いて、地図上に写真を表示させることもできる。たとえば、画像データに付加された位置情報の場所がフラグのアイコン等で地図上に表示され、その場所がクリック等されると、その場所に対応する写真が表示される。
【０００６】
しかしながら、上記のように、撮影された画像データに自動的に位置情報が付加されるような構成とした場合には、ユーザが望まない写真、たとえば、ユーザの自宅や会社の写真に位置情報が付加される惧れがある。そして、このような写真が、アップロードされ、上記のように地図上に表示されると、ユーザの自宅等、個人情報が意図せず、一般に公開されてしまう惧れがある。
【０００７】
本発明は、かかる課題に鑑みてなされたものであり、簡便な操作により、ユーザの望まない画像の位置情報が表示されるのを防止できる携帯端末装置を提供することを目的とする。
【課題を解決するための手段】
【０００８】
本発明の携帯端末装置は、撮像部と、前記撮像部から取得した画像データを記憶する記憶部と、位置情報を取得する位置取得部と、予め設定された除外情報に基づいて、前記画像データに基づく画像と、当該画像の位置情報とを関連付けた表示を禁止するための表示禁止部とを備える。
【０００９】
たとえば、前記表示禁止部は、前記除外情報に基づいて、前記位置情報を前記画像データに対応させて記憶させるか否かを決定するよう構成され得る。
【００１０】
このような構成とすれば、ユーザが望まない画像の位置情報が表示されるのを防止することができる。
【００１１】
本発明の携帯端末装置において、前記徐外情報は、前記位置情報の除外範囲を規定する情報を含み得る。この場合、前記表示禁止部は、前記位置情報が前記除外範囲内である場合、当該位置情報を前記画像データに対応させて記憶させない。
【００１２】
このような構成とすれば、自宅等、公開されたくない場所を除外範囲として設定しておけば、この場所に対応する位置情報が画像データに対応して記憶されることがない。
【００１３】
この場合、前記表示禁止部は、前記位置情報が前記除外範囲内である場合、当該位置情報に代えて、前記除外範囲外の所定位置を示す代替位置情報を前記画像データに対応させて記憶させるような構成とすることもできる。
【００１４】
このような構成とすれば、画像を地図情報に対応付けた場合に、正確な撮影場所は知られることなく、大凡の撮影場所を地図上に表示させることが可能となる。
【００１５】
本発明の携帯端末装置において、前記除外情報は、除外時間帯を規定する情報を含み得る。この場合、前記表示禁止部は、前記除外時間帯である場合には、前記位置情報を前記画像データに対応させて記憶させない。
【００１６】
このような構成とすれば、自宅等、公開したくない場所で撮影を行うときには、その場所にいる時間帯を除外時間帯として設定しておけば、この時間帯に撮影した画像データに対応して位置情報が記憶されない。
【００１７】
本発明の携帯端末装置は、外部操作に基づいて前記除外情報を設定する設定処理部を備えるよう構成され得る。
【００１８】
このような構成とすれば、ユーザが、除外範囲や除外時間帯を自由に設定することができる。
【００１９】
本発明の携帯端末装置は、報知部を備える構成とされ得る。このとき、前記表示禁止部は、前記除外情報に基づいて前記位置情報を前記画像データに対応させて記憶させないと決定した場合、その旨を前記報知部に報知させるとともに、当該報知に基づいて、前記位置情報の記憶を許可する操作がなされると、前記位置情報を前記画像データに対応させて記憶させるよう構成され得る。
【００２０】
このような構成とすれば、除外範囲や除外時間帯であっても、ユーザが望む場合には、位置情報を前記画像データに対応させて記憶させることができ、使い勝手が良くなる。
【発明の効果】
【００２１】
本発明によれば、簡便な操作により、ユーザの望まない画像の位置情報が表示されるのを防止できる携帯端末装置を提供することができる。
【００２２】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００２３】
【図１】実施の形態に係る携帯電話機の外観構成を示す図である。
【図２】実施の形態に係る携帯電話機の全体構成を示すブロック図である。
【図３】実施の形態に係るＧＰＳ除外設定処理のフローチャートである。
【図４】実施の形態に係るＧＰＳ除外設定処理のフローチャートである。
【図５】実施の形態に係る除外エリア登録処理が実行されたときの画面表示例を示す図である。
【図６】実施の形態に係る除外半径設定処理が実行されたときの画面表示例を示す図である。
【図７】実施の形態に係る除外エリアＯＮ／ＯＦＦ設定処理が実行されたときの画面表示例を示す図である。
【図８】実施の形態に係る自動モード設定処理のフローチャートである。
【図９】実施の形態に係る自動モード設定処理が実行されたときの画面表示例を示す図である。
【図１０】実施の形態に係る自動モード設定処理が変更された場合の画面表示例を示す図である。
【図１１】実施の形態に係るＧＰＳ自動モード設定時の撮影処理のフローチャートである。
【図１２】変更例１に係るＧＰＳ自動モード設定時の撮影処理のフローチャートである。
【図１３】変更例２に係るＧＰＳ除外設定処理のフローチャートである。
【図１４】変更例２に係る除外タイマー設定処理が実行されたときの画面表示例を示す図である。
【図１５】変更例２に係るＧＰＳ自動モード設定時の撮影処理のフローチャートである。
【図１６】変更例２の構成を変更例１の構成に適用したときの撮影処理のフローチャートである。
【図１７】変更例３に係るＧＰＳ自動モード設定時の撮影処理のフローチャートである。
【発明を実施するための形態】
【００２４】
以下、本発明の実施の形態について、図面を参照して説明する。図１は携帯電話機の外観構成を示す図である。同図（ａ）は、第２キャビネットが開放した状態の携帯電話機の正面図であり、同図（ｂ）は同じ状態での側面図である。同図（ｃ）は同図（ｂ）のＡ−Ａ´断面図である。
【００２５】
携帯電話機は、第１キャビネット１と第２キャビネット２を備えている。第１キャビネット１には、キー入力部３が配されている。キー入力部３は、機器への各種の操作入力を検出する。
【００２６】
第１キャビネット１の上面には、キー入力部３を構成する操作キー群３ａが配されている。操作キー群３ａは、４個の起動キー３１と、方向キー３２と、決定キー３３と、通話キー３４と、終話キー３５と、１２個のテンキー３６と、クリアキー３７とを備えている。
【００２７】
起動キー３１は、主に、電子メール機能、電話帳機能、ウェブ機能などの特定のアプリケーションを起動する際に操作される。方向キー３２は、主に、表示画面に表示された各種メニューから所望のメニューを選択する際に操作される。決定キー３３は、主に、選択されたメニューに決定する際や表示画面に表示された内容に同意（ＯＫ）する際に操作される。通話キー３４は、主に、通話を開始する際に操作され、終話キー３５は、主に、通話を終了する際に操作される。テンキー３６は、主に、文字（ひらがな、カタカナ、アルファベット）や数字、記号の入力を行う際に操作される。クリアキー３７は、主に、入力した文字等を消去する際に操作される。なお、テンキー３６の一部の機能を、ＱＷＥＲＴＹキー等で実現するような構成としてもよい。
【００２８】
第１キャビネット１の内部には、カメラモジュール１１が配されている。カメラモジュール１１のレンズ窓（図示せず）は、第１キャビネット１の背面に臨んでおり、このレンズ窓から被写体の像がカメラモジュール１１に取り込まれる。
【００２９】
第２キャビネット２にはディスプレイ２１が配されている。ディスプレイ２１は、後述のように液晶パネル２１ａと液晶パネル２１ａを照明するパネルバックライト２１ｂにより構成されている。なお、ディスプレイ２１は、有機ＥＬ等他の表示素子により構成されてもよい。
【００３０】
ディスプレイ２１の表示画面側には、タッチセンサ２２が配されている。タッチセンサ２２は透明なシート状を有しており、タッチセンサ２２を透してディスプレイ２１の表示画面を見ることができる。
【００３１】
タッチセンサ２２は、マトリクス状に配された第１透明電極と第２透明電極とを備えている。タッチセンサ２２は、これら透明電極間の静電容量の変化を検出することによって、ユーザに触られた表示画面上の位置を検出し、その位置に応じた位置信号を出力する。なお、タッチセンサ２２は、静電容量式のタッチセンサに限られず、抵抗膜方式、感圧式等のタッチセンサであってもよい。
【００３２】
第２キャビネット２は、スライド機構部４によって、第１キャビネット１に対し図１のＸ軸方向にスライド可能に連結されている。図１（ｃ）に示すように、スライド機構部４は、ガイド板４１とガイド溝４２によって構成されている。ガイド板４１は、第２キャビネット２の背面の左右両端部に設けられており、その下端に突条４１ａを有する。ガイド溝４２は、第１キャビネット１の側面に、スライド方向（図１のＸ軸方向）に沿って形成されている。ガイド板４１の突条４１ａは、ガイド溝４２に係合されている。
【００３３】
携帯電話機を閉じた状態では、図１（ｂ）に一点鎖線で示すように、第２キャビネット２が第１キャビネット１の上に略完全に重なっている。この状態（閉じた状態）では、第２キャビネット２の背後に操作キー群３ａの全てのキーが隠れた状態となる。第２キャビネット２は、ガイド板４１がガイド溝４２の終端位置に達するまでスライドする（開いた状態とする）ことができる。第２キャビネット２が完全に開くと、図１（ａ）に示すように、操作キー群３ａの全てのキーが外部に露出する。
【００３４】
全てのキーが隠れた状態において、携帯電話機への操作入力は、タッチパネル２２により行うことができる。このとき、ディスプレイ２１の表示画面上には、所定の位置にソフトキーの画像が表示される。
【００３５】
なお、第２キャビネット２が完全に閉じても外部から操作可能な位置、たとえば、第１キャビネット１の側面に、操作キー群３ａとは別の操作キーを設けることもできる。こうすれば、第２キャビネット２が完全に閉じていても、このような操作キーを用いて所望の操作を行うことが可能となる。
【００３６】
図２は、携帯電話機の全体構成を示すブロック図である。本実施の形態の携帯電話機は、上述した各構成要素の他、ＣＰＵ１００、メモリ２００、映像エンコーダ３０１、ＧＰＳモジュール３０２、マイク３０３、音声エンコーダ３０４、キー入力回路３０５、通信モジュール３０６、バックライト駆動回路３０７、キーバックライト３０８、映像デコーダ３０９、音声デコーダ３１０、通話スピーカ３１１、外部スピーカ３１２を備えている。
【００３７】
カメラモジュール１１はＣＣＤ等の撮像素子を有する。カメラモジュール１１は、撮像素子から出力された撮像信号をデジタル化し、その撮像信号にガンマ補正等の各種補正を施して映像エンコーダ３０１へ出力する。映像エンコーダ３０１は、カメラモジュール１１からの撮像信号にエンコード処理を施してＣＰＵ１００へ出力する。
【００３８】
ＧＰＳモジュール３０２は、上空にある複数のＧＰＳ衛星からの信号に基づいて、経度、緯度等の地理的な現在位置を測位し、その位置情報、即ちＧＰＳ情報をＣＰＵ１００に出力する。
【００３９】
マイク３０３は、集音した音声を音声信号に変換して音声エンコーダ３０４へ出力する。音声エンコーダ３０４は、マイク３０３からのアナログの音声信号をデジタルの音声信号に変換するとともに、デジタルの音声信号にエンコード処理を施してＣＰＵ１００へ出力する。
【００４０】
キー入力回路３０５は、操作キー群３ａの各キーが操作されたときに、各キーに応じた入力信号をＣＰＵ１００へ出力する。
【００４１】
通信モジュール３０６は、ＣＰＵ１００からの音声信号や画像信号、テキスト信号などを無線信号に変換し、アンテナ３０６ａを介して基地局へ送信する。また、アンテナ３０６ａを介して受信した無線信号を音声信号や画像信号、テキスト信号などに変換してＣＰＵ１００へ出力する。
【００４２】
バックライト駆動回路３０７は、ＣＰＵ１００からの制御信号に応じた電圧信号をキーバックライト３０８およびパネルバックライト２１ｂに供給する。キーバックライト３０８は、バックライト駆動回路３０７からの電圧信号により点灯し、操作キー群３ａの個々のキーを照明する。パネルバックライト２１ｂは、バックライト駆動回路３０７からの電圧信号により点灯し、液晶パネル２１ａを照明する。
【００４３】
映像デコーダ３０９は、ＣＰＵ１００からの映像信号を液晶パネル２１ａで表示できるアナログ若しくはデジタルの映像信号に変換し、液晶パネル２１ａに出力する。液晶パネル２１ａは、映像信号に応じた画像を表示画面上に表示する。
【００４４】
音声デコーダ３１０は、ＣＰＵ１００からの音声信号にデコード処理を施し、さらにアナログの音声信号に変換して通話スピーカ３１１に出力する。また、音声デコーダ３１０は、ＣＰＵ１００からの着信音、アラーム音等の各種報知音の音信号にデコード処理を施し、さらにアナログの音信号に変換して外部スピーカ３１２へ出力する。通話スピーカ３１１は、音声デコーダ３１０からの音声信号を音声として再生する。外部スピーカ３１２は、音声デコーダ３１０からの着信音等を再生する。
【００４５】
メモリ２００は、ＲＯＭおよびＲＡＭを含む。メモリ２００には、ＣＰＵ１００に制御機能を付与するための制御プログラムが記憶されている。また、メモリ２００には、カメラモジュール１１で撮影した画像データや通信モジュール３０６を介して外部から取り込んだ画像データ、テキストデータ（メールデータ）などが所定のファイル形式で保存される。
【００４６】
ＣＰＵ１００は、キー入力回路３０５およびタッチセンサ２２からの操作入力信号に基づき、制御プログラムに従って、カメラモジュール１１、マイク３０３、通信モジュール３０６、液晶パネル２１ａ、通話スピーカ３１１、外部スピーカ３１２等を動作させる。これにより、通話機能、電子メール機能等の各種機能（アプリケーション）を実行する。
【００４７】
ＣＰＵ１００は、撮影制御部１０１および設定処理部１０２を備えている。撮影制御部１０１および設定処理部１０２は、ＣＰＵ１００によって実行されるソフトウェアの機能として実現される。
【００４８】
撮影制御部１０１は、カメラモジュール１１を用いた撮影処理を実行し、撮影した画像データをメモリ２００に記憶させる。この際、ＧＰＳ自動モードが設定されていれば、撮影時にＧＰＳ情報を自動的に取得して撮影した画像データに付加する。
【００４９】
設定処理部１０２は、ＧＰＳ自動モードに設定するための自動モード設定処理を実行する。また、設定処理部１０２は、ＧＰＳ除外設定処理を実行する。ＧＰＳ除外設定処理が実行されることにより、ＧＰＳ情報を付加しない場所の範囲（除外エリア）や除外エリアの広さ（徐外半径）等が設定される。
【００５０】
まず、ＧＰＳ除外設定処理における処理動作について説明する。図３および図４は、ＧＰＳ除外設定処理のフローチャートである。
【００５１】
図３（ａ）を参照して、設定処理部１０２は、ディスプレイ２１に表示された所定の設定メニューからＧＰＳ除外設定の項目が選択されると、除外設定画面をディスプレイ２１に表示させる（Ｓ１０１）。ディスプレイ２１には、「除外エリア登録」、「除外半径設定」、「除外エリアＯＮ／ＯＦＦ」の３つの項目が表示される（図５の画面１参照）。
【００５２】
ユーザにより、３つの項目中から設定を行う項目が選択される。設定処理部１０２は、「除外エリア登録」が選択されれば（Ｓ１０２：ＹＥＳ）、除外エリア登録処理を実行する（Ｓ１０４）。また、「除外半径設定」が選択されれば（Ｓ１０２：ＮＯ→Ｓ１０３：ＹＥＳ）、除外半径設定処理を実行し（Ｓ１０５）、「除外エリアＯＮ／ＯＦＦ」が選択されれば（Ｓ１０３：ＮＯ）、除外エリアＯＮ／ＯＦＦ設定処理を実行する（Ｓ１０６）。
【００５３】
図４は、除外エリア登録処理のフローチャートである。また、図５は、除外エリア登録処理が実行されたときの画面表示例を示す図である。
【００５４】
図４を参照して、設定処理部１０２は、まず、登録一覧画面をディスプレイ２１に表示させる（Ｓ２０１）。ディスプレイ２１には、既に登録されている除外エリアの場所名（自宅、会社等）が選択項目として表示され、その下に新規登録の際に選択されるマークが選択項目として表示される（図５の画面２参照）。
【００５５】
設定処理部１０２は、何れかの項目が選択されると（Ｓ２０２：ＹＥＳ）、それが新規登録の項目か否かを判定する（Ｓ２０３）。そして、新規登録の項目であれば（Ｓ２０３：ＹＥＳ）、ＧＰＳ情報の取得方法を選択するための取得方法選択画面をディスプレイ２１に表示させる（Ｓ２０４）。ディスプレイ２１には、「現在地を登録」、「ＧＰＳリスト引用」、「アドレス帳引用」の３つの項目が表示される（図５の画面３参照）。
【００５６】
ユーザは、現在の場所を除外エリアとして登録するときは、「現在地を登録」を選択する。
【００５７】
設定処理部１０２は、「現在地を登録」の項目が選択されると（Ｓ２０５：ＹＥＳ）、ＧＰＳモジュール３０２を起動して、ＧＰＳモジュール３０２から現在位置のＧＰＳ情報を取得する（Ｓ２０６）。なお、設定処理部１０２は、ＧＰＳ情報の取得中には、それを示す表示をディスプレイ２１に行わせる（図５の画面４参照）。さらに、ＧＰＳ情報の取得が完了すると、完了した旨をディスプレイ２１に表示させる（図５の画面５参照）。
【００５８】
次に、設定処理部１０２は、取得したＧＰＳ情報の場所名を入力するための入力画面をディスプレイ２１に表示させる（Ｓ２０７：図５の画面６、画面７参照）。そして、ユーザにより場所名が入力され、入力完了の操作がなされると（Ｓ２０８：ＹＥＳ）、取得したＧＰＳ情報を、新規の除外エリアとして場所名に対応付けて登録する（Ｓ２０９）。除外エリアの情報は、メモリ２００に保存される。このとき、ディスプレイ２１には、新規登録された場所名が加えられた登録一覧画面が表示される（図５の画面８参照）。
【００５９】
ところで、上記取得方法選択画面において、「ＧＰＳリスト引用」の項目が選択されると（Ｓ２１０：ＹＥＳ）、予め取得され、場所名に対応けられてメモリ２００に保存されているＧＰＳ情報のリスト（ＧＰＳ情報リスト）の中から、除外エリアとして登録するＧＰＳ情報の取得が行われる（Ｓ２１１）。そして、取得されたＧＰＳ情報が新規の除外エリアとして登録される（Ｓ２０９）。
【００６０】
一方、取得方法選択画面において、「アドレス帳引用」の項目が選択されると（Ｓ２１０：ＮＯ）、アドレス帳（メモリ２００内のアドレス帳のテーブル）に、人名に対応けられて保存されているＧＰＳ情報の中から、除外エリアとして登録するＧＰＳ情報の取得が行われる（Ｓ２１２）。そして、取得されたＧＰＳ情報が新規の除外エリアとして登録される（Ｓ２０９）。
【００６１】
なお、上記登録一覧画面において、既に登録されている場所名が選択された場合、設定処理部１０２は、ＧＰＳモジュール３０２を起動して、ＧＰＳモジュール３０２から現在位置のＧＰＳ情報を取得する（Ｓ２１３）。そして、選択された場所名のＧＰＳ情報を、新たに取得したＧＰＳ情報に更新する（Ｓ２１４）。
【００６２】
図３（ｂ）は、除外半径設定処理のフローチャートである。また、図６は、除外半径設定処理が実行されたときの画面表示例を示す図である。
【００６３】
図３（ｂ）を参照して、上記除外設定画面において、「除外半径設定」が選択されると、設定処理部１０２は、除外半径を入力するための入力画面をディスプレイ２１に表示させる（Ｓ３０１：図６の画面２、画面３参照）。除外半径は、除外エリアとして登録した地点を中心とした、ＧＰＳ情報が画像データに付加されない範囲、即ち除外エリアの広さを示すものである。たとえば、除外半径が８００ｍと設定されれば、登録地点から半径８００ｍの範囲が除外エリアとなる。たとえば、ユーザは、自宅を除外エリアに登録する場合、自宅とその近隣だけでなく、住んでいる町なども他人に知られたくないときには、除外エリアを広めに設定できる。
【００６４】
ユーザによって数値が入力され、入力完了の操作がなされると（Ｓ３０２：ＹＥＳ）、設定処理部１０２は、入力された数値を除外半径として登録する（Ｓ３０３）。除外半径の値は、メモリ２００に保存される。このとき、ディスプレイ２１には、徐外エリアの広さを知らせる表示がなされる（図６の画面４参照）。
【００６５】
なお、ここでは、除外半径が設定されると、登録された全ての除外エリアに対して一律に除外半径が設定されるが、除外エリア毎に、異なる除外半径を設定できるようにしても良い。また、除外半径を適用するかを、除外エリア毎に設定できるようにしても良い。
【００６６】
また、図６の画面４のようにディスプレイ２１に除外半径を文字で表示するのではなく、ディスプレイ２１に地図を表示して、地図上で除外エリアとそれ以外のエリアを区別するような表示を行うようにしてもよい。この場合、たとえば、除外エリアを円で囲むような表示とすることが考えられる。
【００６７】
図３（ｃ）は、除外エリアＯＮ／ＯＦＦ設定処理のフローチャートである。また、図７は、除外エリアＯＮ／ＯＦＦ設定処理が実行されたときの画面表示例を示す図である。
【００６８】
図３（ｃ）を参照して、上記除外設定画面において、「除外エリアＯＮ／ＯＦＦ」が選択されると、設定処理部１０２は、除外エリアのＯＮ／ＯＦＦ設定を行うための入力画面をディスプレイ２１に表示させる（Ｓ４０１：図７の画面２参照）。
【００６９】
ユーザによりＯＮ設定が選択されると（Ｓ４０２：ＯＮ選択）、設定処理部１０２は、除外エリアをＯＮ設定する（Ｓ４０３）。これにより、除外エリアが有効となり、後述する撮影処理において、ＧＰＳ情報が除外エリアの範囲にあるか否かが判定される。
【００７０】
一方、ユーザによりＯＦＦ設定が選択されると（Ｓ４０２：ＯＦＦ選択）、設定処理部１０２は、除外エリアをＯＦＦ設定する（Ｓ４０４）。これにより、除外エリアが無効となり、後述する撮影処理において、ＧＰＳ情報が除外エリアの範囲にあるか否かが判定されない。なお、ＯＮ設定あるいはＯＦＦ設定が行われると、ディスプレイ２１には、その設定結果が表示される（図７の画面３、画面４参照）。
【００７１】
なお、ディスプレイ２１にＯＮ設定された旨を表示する場合、地図を表示して地図上で除外エリアの場所を示すようにしてもよい。
【００７２】
次に、自動モード設定処理における処理動作について説明する。図８は、自動モード設定処理のフローチャートである。また、図９は、自動モード設定処理が実行されたときの画面表示例を示す図である。
【００７３】
図８を参照して、設定処理部１０２は、ディスプレイ２１に表示された所定の設定メニューからＧＰＳ自動設定の項目が選択されると、ＧＰＳ自動モードを設定するための自動モード設定画面をディスプレイ２１に表示させる（Ｓ５０１：図９の画面１参照）。
【００７４】
ユーザによりＯＮ設定が選択されると（Ｓ５０２：ＯＮ選択）、設定処理部１０２は、除外エリアの登録があるか否かを判定する（Ｓ５０３）。そして、除外エリアが登録されていれば（Ｓ５０３：ＹＥＳ）、除外エリア（場所名）の一覧をディスプレイ２１に表示させる（Ｓ５０４：図９の画面２参照）。一方、除外エリアが全く登録されていなければ（Ｓ５０３：ＮＯ）、除外エリアの登録がない旨をディスプレイ２１に表示させる（Ｓ５０５：図９の画面３参照）。
【００７５】
このように、ＧＰＳ自動モードを設定する際に、除外エリアの登録状況が表示される。これにより、ユーザが除外エリアの登録状況を確認できるので、必要な除外エリアが登録されていないままＧＰＳ自動モードに設定されるのを防止できる。
【００７６】
ユーザによって徐外エリアの登録状況が確認され、これに基づいて同意操作がなされれば（Ｓ５０６：ＹＥＳ）、設定処理部１０２は、ＧＰＳ自動モードに設定する（Ｓ５０７）。このとき、ディスプレイ２１には、ＧＰＳ自動モードに設定された旨が表示される（図９の画面４参照）。
【００７７】
一方、必要な除外エリアが登録されていないなどの理由により、ユーザによってキャンセル操作がなされれば（Ｓ５０７：ＮＯ→Ｓ５０８：ＹＥＳ）、設定処理部１０２は、ＧＰＳ自動モードに設定せずに処理を終了する。
【００７８】
なお、自動モード設定画面において、ユーザによりＯＦＦ設定が選択されると（Ｓ５０２：ＯＦＦ選択）、設定処理部１０２は、ＧＰＳ自動モードを解除する（Ｓ５０９）。このとき、ディスプレイ２１には、ＧＰＳ自動モードが解除された旨が表示される（図９の画面５参照）。
【００７９】
なお、ユーザは、図９の画面２、画面３により、除外エリアの登録状況を確認できるのみであるが、さらに、確認した登録状況を変更できるようにしても良い。
【００８０】
図１０は、この場合の画面を示す図である。ここでは、上記図９の画面２、画面３に、“削除”、“追加”、“ＯＫ”の操作ボタンが加えられている。画面２において、ユーザが“小学校”を選択して、“削除”の操作ボタンを操作すると、画面４のように、除外エリアから“小学校”が削除される。また、画面３において、ユーザが“追加”の操作ボタンを操作すると、画面５のように、上述のＧＰＳ情報リストが除外エリアの選択候補として表示される。この画面において、ユーザが“小学校”を選択し、“追加”の操作ボタンを操作すると、画面７のように、除外エリアに“小学校”が追加される。
【００８１】
次に、ＧＰＳ自動モードが設定されたときの撮影処理の処理動作について説明する。ここでは、除外エリア登録は既になされ、除外エリアはＯＮ設定となっているものとする。
【００８２】
図１１はＧＰＳ自動モード設定時の撮影処理のフローチャートである。
【００８３】
図１１を参照して、ユーザによってカメラ機能を起動する操作がなされると、操作制御部１０１は、カメラモジュール１１を起動する（Ｓ６０１）。カメラモジュール１１が起動すると、ディスプレイ２１には、カメラモジュール１１が捉えた映像がプレビュー画像として表示される。
【００８４】
撮影制御部１０１は、シャッターボタン（たとえば、決定キー３３）が操作されたか否かを判定する（Ｓ６０２）。シャッターボタンが操作されると、撮影制御部１０１は、撮影動作を行う（Ｓ６０３）。即ち、撮影制御部１０１は、シャッターボタンが操作されたときに取得された画像データをメモリ２００の一時記憶領域に一時的に保存する。
【００８５】
次に、撮影制御部１０１は、ＧＰＳモジュール３０２を起動して、ＧＰＳモジュール３０２から現在位置のＧＰＳ情報を取得する（Ｓ６０４）。そして、取得したＧＰＳ情報が、登録されている除外エリアの範囲内であるか否かを判定する（Ｓ６０５）。
【００８６】
このとき、取得したＧＰＳ情報が除外エリア内でなければ（Ｓ６０５：ＮＯ）、撮影制御部１０１は、一時的に保存しておいた画像データを読み出して、この画像データに取得したＧＰＳ情報を付加し、メモリ２００に保存する（Ｓ６０６）。
【００８７】
一方、取得したＧＰＳ情報が除外エリア内であれば（Ｓ６０５：ＹＥＳ）、撮影制御部１０１は、一時的に保存しておいた画像データを読み出して、この画像データに取得したＧＰＳ情報を付加することなく、メモリ２００に保存する（Ｓ６０７）。
【００８８】
なお、除外エリアに除外半径が設定されている場合、Ｓ６０５では、現在の撮影位置が除外半径の範囲内にあるかが判定される。また、除外エリアに除外半径が設定されていない場合、Ｓ６０５では、現在の撮影位置が、除外エリアに登録されている位置から予め決められた距離（１０ｍ程度）の範囲内にあるかが判定される。
【００８９】
このようにして、写真撮影が行われる度に、ＧＰＳ情報が自動的に取得され、そのＧＰＳ情報が除外エリア内であるか否かの判定に基づいて、ＧＰＳ情報が付加された画像データあるいは付加されない画像データがメモリ２００に保存される。
【００９０】
こうして、ユーザによってカメラ機能を終了する操作がなされると（Ｓ６０８：ＹＥＳ）、撮影制御部１０１は、カメラモジュール１１を停止して（Ｓ６０９）、撮影処理を終了する。
【００９１】
以上、本実施の形態によれば、自宅等、公開されたくない場所を除外エリアとして登録しておけば、このような場所でカメラ撮影が行われても、その画像データにＧＰＳ情報が付加されない。したがって、たとえば、ユーザが撮影した画像をホームページ等にアップロードし、画像を地図情報に対応付けた場合にも、誤って、自宅等、個人情報に関するような場所が他人に知られるのを防止することができる。
【００９２】
また、本実施の形態によれば、ユーザが除外エリアとする場所（ＧＰＳ情報）を設定できるので、ユーザ個人の事情に応じた除外エリアの設定が行え、使い勝手が良い。
【００９３】
さらに、本実施の形態によれば、ユーザが除外エリアの広さを設定できるので、さらにユーザ個人の事情に応じた除外エリアの設定が行え、一層、使い勝手が良い。
【００９４】
さらに、本実施の形態によれば、ユーザが除外エリアを有効とするか、無効とするかを設定できる。これにより、たとえば、自宅等の近くであって除外エリアに含まれる場所で撮影し、この画像データにＧＰＳ情報を付加したいような場合に、除外エリアを一時的に無効にすることができる。よって、さらに一層、使い勝手が良くなる。
【００９５】
＜変更例１＞
図１２（ａ）は、変更例１に係るＧＰＳ自動モード設定時の撮影処理のフローチャートである。また、図１２（ｂ）は、図１２（ａ）の撮影処理において表示される確認画面の表示例を示す図である。なお、図１２（ａ）のフローチャートでは、便宜上、上記実施の形態とは異なる処理とその前後の一部の処理が示されている。
【００９６】
本変更例において、撮影制御部１０１は、ステップＳ６０４で取得したＧＰＳ情報が除外エリア内であると判定すると（Ｓ６０５：ＹＥＳ）、確認画面をディスプレイ２１に表示させる。確認画面は、たとえば図１２（ｂ）に示すように、取得したＧＰＳ情報が画像データに付加されない旨の表示と、同意するか否かをユーザに選択させるための表示とで構成される。
【００９７】
ユーザが同意すれば、即ち、確認画面上の「はい」を選択すれば（Ｓ６１１：ＹＥＳ）、撮影制御部１０１は、ＧＰＳ情報を付加せずに画像データをメモリ２００に保存する（Ｓ６０７）。一方、ユーザが同意しなければ、即ち、確認画面上の「いいえ」を選択すれば（Ｓ６１１：ＮＯ）、撮影制御部１０１は、ＧＰＳ情報を付加して画像データをメモリ２００に保存する（Ｓ６０６）。
【００９８】
ユーザが撮影した場所が、たまたま、自宅近く等であって除外エリア内であったが、この場所の画像データについては、ＧＰＳ情報を付加したいという場合もある。このような場合、ユーザが同意しないことで、除外エリア内での撮影であっても、ＧＰＳ情報を付加することができる。
【００９９】
したがって、除外エリア内での撮影であっても、必要な場合には、ＧＰＳ情報を画像データに容易に付加することができ、使い勝手が良くなる。
【０１００】
＜変更例２＞
上記実施の形態では、予め除外エリアが登録され、取得したＧＰＳ情報が除外エリア内であれば、ＧＰＳ情報が画像データに付加されない。しかし、これに限らず、以下に説明するように、予め除外時間帯が登録され、画像を撮影した時間が除外時間帯であれば、ＧＰＳ情報が画像データに付加されないようにすることもできる。
【０１０１】
図１３は、変更例２に係るＧＰＳ除外設定処理のフローチャートである。図１３（ａ）は、ＧＰＳ除外設定処理におけるメイン処理のフローチャートである。図１３（ｂ）は、除外タイマー設定処理のフローチャートである。また、図１４は、除外タイマー設定処理が実行されたときの画面表示例を示す図である。
【０１０２】
本変更例では、除外設定画面の項目に「除外タイマー設定」の項目が追加される（図１４の画面１参照）。そして、図１３（ａ）に示すように、設定処理部１０２は、「除外タイマー設定」が選択されれば（Ｓ１０７：ＮＯ）、除外タイマー設定処理を実行する（Ｓ１０８）。
【０１０３】
図１３（ｂ）を参照して、除外タイマー設定処理の処理動作について説明する。
【０１０４】
設定処理部１０２は、まず、除外タイマーを設定するか（ＯＮにするか）、解除するか（ＯＦＦにするか）を設定するためのＯＮ／ＯＦＦ設定画面をディスプレイ２１に表示させる（Ｓ７０１：図１４の画面２参照）。
【０１０５】
ユーザによりＯＮ設定が選択されると（Ｓ７０２：ＯＮ選択）、設定処理部１０２は、除外時間帯を入力するための入力画面をディスプレイ２１に表示させる（Ｓ７０３：図１４の画面３、画面４参照）。そして、ユーザによって時間帯（開始時刻と終了時刻）が入力され、入力完了の操作がなされると（Ｓ７０４：ＹＥＳ）、入力された時間帯を除外時間帯として登録する（Ｓ７０５）。除外時間帯の値は、メモリ２００に保存される。このとき、ディスプレイ２１には、設定された時間帯にはＧＰＳ情報が画像データに付加されない旨の表示がなされる（図１４の画面５参照）。
【０１０６】
なお、上記ＯＮ／ＯＦＦ設定画面において、ユーザによりＯＦＦ設定が選択されると（Ｓ７０２：ＯＦＦ選択）、設定処理部１０２は、除外タイマーの設定を解除する（Ｓ７０６）。こうなると、後述する撮影処理において、除外時間帯であるかの判定がなされなくなる。
【０１０７】
図１５は、変更例２に係るＧＰＳ自動モード設定時の撮影処理のフローチャートである。図１５のフローチャートでは、便宜上、上記実施の形態とは異なる処理とその前後の一部の処理が示されている。
【０１０８】
本変更例では、現在位置のＧＰＳ情報が取得されると（Ｓ６０４）、撮影制御部１０１は、撮影された時間が、登録されている除外時間帯であるか否かを判定する（Ｓ６１２）。そして、撮影時間が除外時間帯であれば（Ｓ６１２：ＹＥＳ）、ＧＰＳ情報が除外エリア内であるか否かに関係なく、ＧＰＳ情報を付加することなく画像データをメモリ２００に保存する（Ｓ６０７）。
【０１０９】
このように、本変更例によれば、自宅等、公開されたくない場所にいる時間帯を除外時間帯として登録しておけば、このような場所でカメラ撮影が行われても、その画像データにＧＰＳ情報が付加されない。したがって、ユーザが撮影した画像をホームページ等にアップロードし、画像を地図情報に対応付けた場合にも、誤って、自宅等、個人情報に関するような場所が他人に知られるのを防止することができる。
【０１１０】
なお、本変更例の構成を上記変更例１の構成に適用することもできる。図１６（ａ）は、変更例２の構成を変更例１の構成に適用したときの撮影処理のフローチャートである。また、図１６（ｂ）は、図１６（ａ）の撮影処理において表示される確認画面の表示例を示す図である。なお、図１６（ａ）のフローチャートでは、便宜上、上記実施の形態および変更例１とは異なる処理とその前後の一部の処理が示されている。
【０１１１】
図１６を参照して、撮影制御部１０１は、ステップＳ６０４で取得したＧＰＳ情報が除外時間帯であると判定すると（Ｓ６１２：ＹＥＳ）、確認画面をディスプレイ２１に表示させる（Ｓ６１３）。確認画面は、たとえば図１６（ｂ）に示すように、取得したＧＰＳ情報が画像データに付加されない旨の表示と、同意するか否かをユーザに選択させるための表示とで構成される。
【０１１２】
ユーザが同意すれば、即ち、確認画面上で「はい」を選択すれば（Ｓ６１４：ＹＥＳ）、撮影制御部１０１は、ＧＰＳ情報を付加せずに画像データをメモリ２００に保存する（Ｓ６０７）。一方、ユーザが同意しなければ、即ち、確認画面上で「いいえ」を選択すれば（Ｓ６１４：ＮＯ）、撮影制御部１０１は、Ｓ６０５の処理へ進み、ＧＰＳ情報が除外エリア内でなるか否かの判定を行う。
【０１１３】
このようにすれば、除外時間帯での撮影であっても、必要な場合には、ＧＰＳ情報を画像データに容易に付加することができ、使い勝手が良くなる。
【０１１４】
なお、本変更例では、除外時間帯の判定だけでなく、除外エリアの判定をも行うようにしている。しかしながら、除外時間帯の判定のみを行うようにしてもよい。
【０１１５】
＜変更例３＞
図１７は、変更例３に係るＧＰＳ自動モード設定時の撮影処理のフローチャートである。
【０１１６】
上記実施の形態では、取得したＧＰＳ情報が除外エリア内であると判定されると、画像データにはＧＰＳ情報が付加されない。
【０１１７】
これに対し、本変更例では、図１７に示すように、撮影制御部１０１は、取得したＧＰＳ情報が除外エリア内であると判定すると（Ｓ６０５：ＹＥＳ）、代替ＧＰＳ情報を画像データに付加し、メモリ２００に保存する（Ｓ６１５）。
【０１１８】
ここで、代替ＧＰＳ情報は、取得したＧＰＳ情報に代わる大凡の位置情報であり、たとえば、取得したＧＰＳ情報の地点からある特定の方向（南の方向など）にシフトし、除外エリアからは外れたところの位置情報とすることができる。
【０１１９】
このような構成とすれば、たとえば、ユーザが撮影した画像をホームページ等にアップロードし、画像を地図情報に対応付けた場合に、正確な撮影場所は知られることなく、大凡の撮影場所を地図上に表示させることが可能となる。
【０１２０】
なお、本変更例を、変更例１および変更例２の構成に適用することができる。この場合、図１２、図１５、図１６のステップＳ６０７の処理が、図１７のステップＳ６１５の処理に置き換わることとなる。
【０１２１】
＜その他＞
上記実施の形態および変更例に示す形態以外にも、さらに種々変更が可能である。
【０１２２】
たとえば、上記実施の形態および変更例では、カメラモジュール１１で撮影した画像データをメモリ２００に保存する際に、その画像データにＧＰＳ情報を付加する構成について説明した。しかしながら、既にメモリ２００に保存された画像データに、ＧＰＳ情報を付加する構成とすることもできる。この場合、撮影時に、画像データに時刻情報が付加される。また、ＧＰＳ情報には、取得時に時刻情報が付加される。これにより、画像データには、撮影時刻と整合した取得時刻のＧＰＳ情報が付加される。このとき、ＧＰＳ情報が除外エリア内であるか否かが判定され、除外エリア内であれば、そのＧＰＳ情報が対応する画像データに付加されない。あるいは、撮影時刻または取得時刻が除外時間帯であるか否かが判定され、除外時間帯であれば、そのＧＰＳ情報が対応する画像データに付加されない。
【０１２３】
なお、既に保存された画像データにＧＰＳ情報を付加する場合には、携帯電話機にはＧＰＳモジュールが内蔵されていなくてもよく、別途用意されたＧＰＳ装置からＧＰＳ情報が取得されてもよい。この場合、携帯電話機には、ＧＰＳ装置からＧＰＳ情報を取得するインターフェース部が設けられ、このインターフェース部が本発明の位置取得部に対応することとなる。
【０１２４】
また、上記実施の形態では、ＧＰＳ自動モードを設定する際に、除外エリアが全く登録されていなければ、その旨がディスプレイ２１に表示されるようにしている。しかし、除外エリアが全く登録されていない場合の対応として、以下のようにすることもできる。
【０１２５】
即ち、設定処理部１０２は、ＧＰＳモジュール３０２により所定時間毎にＧＰＳ情報を取得するようにし、最も長い時間変化がなかったＧＰＳ情報を登録候補のＧＰＳ情報としてメモリ２００に保存しておく。ユーザは、自宅や会社に最も長い時間いると考えられ、これらの場所は除外エリアの対象となり得ると考えられる。
【０１２６】
そこで、除外エリアが全く登録されていない場合、設定処理部１０２は、その登録候補のＧＰＳ情報をディスプレイ２１に表示し、これを除外エリアとして登録して良いかをユーザに知らせる。このとき、ディスプレイ２１に緯度や経度が表示されても、ユーザにはその場所がどこであるか理解されにくい。よって、設定処理部１０２は、地図情報が得られるサイトからＧＰＳ登録候補のＧＰＳ情報に対応する場所の地図情報をダウンロードしてきて、ディスプレイに２１に表示するような構成とすることが望ましい。
【０１２７】
こうして、候補となるＧＰＳ情報が表示され、ユーザにより登録の同意が得られれば、設定処理部１０２は、そのＧＰＳ情報を除外エリアとして登録する。
【０１２８】
このような構成とすれば、ＧＰＳ自動モードの設定時に、除外エリアが全く登録されていなくても、最低限の登録を簡単に行うことができる。
【０１２９】
なお、ＧＰＳ自動モードの設定時に、除外エリアが全く設定されていなければ、自動的に除外エリア登録処理が実行され、登録一覧画面（図５の画面２参照）がディスプレイ２１に表示されるようにしてもよい。この場合、画面上には、新規登録のマークのみが表示されることとなる。
【０１３０】
さらに、画像データに関連付けたＧＰＳ情報の記憶形態も適宜変更可能である。上記実施の形態では、ＧＰＳ情報が画像データに付加してメモリ２００に保存される。この場合、ＧＰＳ情報は、画像データファイル（たとえば、ＪＰＥＧファイル）中の所定の格納領域（たとえば、ＪＰＥＧファイルではＥｘｉｆ領域）に含められて、メモリ２００に記録される。これに替えて、画像データファイルとは別に、ＧＰＳ情報のファイルを作成し、画像データファイル中の画像データとＧＰＳ情報ファイル中のＧＰＳ情報とを関連付けて、両ファイルをメモリ２００に記録するようにしてもよい。要は、ＧＰＳ情報（位置情報）が画像データに対応付けされてメモリに記憶されればよい。
【０１３１】
また、上記実施の形態では、ＧＰＳ情報により規定され位置が除外エリア内であるときに、ＧＰＳ情報を画像データに付加するのを禁止するようにしたが、ＧＰＳ情報により規定された位置が除外エリア内であるときにも、ＧＰＳ情報を画像データに付加あるいは関連付けて記憶するようにし、その後の段階で、前記画像データに基づく画像と、当該画像の位置情報とを関連付けた表示を禁止するにしても良い。この場合、たとえば、ＧＰＳ情報により規定された位置が除外エリア内にあると、当該ＧＰＳ情報と画像データとに関連付けて禁止フラグが設定される。そして、たとえば、禁止フラグが設定された画像については、（１）ウェブサーバ上にアップロードできない、（２）ウェブサーバ上にはアップロードできるがＧＰＳ情報との関連付けが外される、等の制御が行われる。こうすることによっても、知られたくない位置が他人によって取得・閲覧されるのを防止することができる。この構成は、上記変更例２の場合においても同様に適用され得る。
【０１３２】
さらに、上記実施の形態では、いわゆるスライド式の携帯電話機に本発明が適用されている。しかしながら、これに限らず、いわゆる折り畳み式の携帯電話機に本発明が適用されてもよい。
【０１３３】
さらに、本発明の携帯端末装置は、携帯電話機に限られず、ＰＤＡ（Personal Digital Assistant）等であってもよい。
【０１３４】
この他、本発明の実施の形態は、特許請求の範囲に示された技術的思想の範囲内において、適宜、種々の変更が可能である。
【符号の説明】
【０１３５】
１１  カメラモジュール（撮像部）
２１    ディスプレイ（報知部）
１０１  撮影制御部（表示禁止部）
１０２  設定処理部
２００  メモリ（記憶部）
３０２  ＧＰＳモジュール（位置取得部）
【図１】
2011049899.tif 000003
【図２】
2011049899.tif 000004
【図３】
2011049899.tif 000005
【図４】
2011049899.tif 000006
【図５】
2011049899.tif 000007
【図６】
2011049899.tif 000008
【図７】
2011049899.tif 000009
【図８】
2011049899.tif 000010
【図９】
2011049899.tif 000011
【図１０】
2011049899.tif 000012
【図１１】
2011049899.tif 000013
【図１２】
2011049899.tif 000014
【図１３】
2011049899.tif 000015
【図１４】
2011049899.tif 000016
【図１５】
2011049899.tif 000017
【図１６】
2011049899.tif 000018
【図１７】
2011049899.tif 000019